(57)【特許請求の範囲】
【請求項１】
所定方向に長くなった撮影範囲の映像を撮影する第一撮影装置と、
前記所定方向と交差する方向に長くなった撮影範囲の映像を撮影する第二撮影装置と、
前記第一撮影装置の撮影映像及び前記第二撮影装置の撮影映像を配信することが可能な映像配信装置と、
映像を表示する表示器と、
前記映像配信装置が配信した映像を受信して前記表示器に表示させる映像受信装置と、を有し、
前記第一撮影装置及び前記第二撮影装置の各々は、当該各々の撮影範囲が部分的に重複するように配置されており、
前記映像受信装置は、前記表示器に映像を表示させる際の条件を記憶しており、前記映像配信装置から受信した映像を前記表示器に表示させる際に、前記第一撮影装置の撮影映像及び前記第二撮影装置の撮影映像のうち、前記条件に応じて選択されたいずれか一方の映像を表示させることを特徴とする映像表示システム。
【請求項２】
前記映像受信装置は、前記条件として、前記表示器に形成された映像表示画面のアスペクト比を記憶しており、該アスペクト比を示すデータを前記映像配信装置に向けて送信し、
前記映像配信装置は、前記データを前記映像受信装置から受信すると、前記第一撮影装置の撮影映像及び前記第二撮影装置の撮影映像のうち、前記データが示す前記アスペクト比と対応する映像のみを前記映像受信装置に向けて配信することを特徴とする請求項１に記載の映像表示システム。
【請求項３】
前記アスペクト比が反転するように前記表示器の姿勢が変化した際、前記映像受信装置は、反転後の前記アスペクト比を示すように前記データを更新し、前記映像配信装置に向けて更新後の前記データを送信し、
前記映像配信装置は、前記データを前記映像受信装置から受信した後に更新後の前記データを受信すると、前記第一撮影装置の撮影映像及び前記第二撮影装置の撮影映像のうち、更新後の前記データを受信する前に配信していた映像とは異なる映像を前記映像受信装置に向けて配信することを特徴とする請求項２に記載の映像表示システム。
【請求項４】
前記表示器は、該表示器に形成された映像表示画面が複数の分割画面に分割された状態で、該複数の分割画面の各々に映像を表示することが可能であり、
前記映像受信装置は、前記複数の分割画面の各々に映像を表示する際の前記条件として、前記複数の分割画面において前記映像配信装置から受信した映像と同時に表示される同時表示映像の有無、該同時表示映像の属性、及び、前記表示器に表示された映像を利用する利用者の人数のうち、少なくとも一つの情報を記憶しており、前記複数の分割画面の各々に映像を表示する期間中、前記第一撮影装置の撮影映像及び前記第二撮影装置の撮影映像のうち、前記少なくとも一つの情報に応じて選択されたいずれか一方の映像を表示させることを特徴とする請求項１に記載の映像表示システム。
【請求項５】
前記映像配信装置は、前記第一撮影装置の撮影映像及び前記第二撮影装置の撮影映像の双方を前記映像受信装置に向けて配信し、
前記映像受信装置は、前記双方を受信し、前記双方のうち、前記条件に応じて選択されたいずれか一方の映像を前記表示器に表示させることを特徴とする請求項１に記載の映像表示システム。
【請求項６】
前記第一撮影装置と前記第二撮影装置とが鉛直方向に長い筐体に取り付けられており、
前記筐体を鉛直方向において均一な三つの部分に区画したとき、前記第一撮影装置及び前記第二撮影装置のうちの少なくとも一方の撮影装置が取り付けられている位置は、前記筐体の上側部分、中央部分及び下側部分のうち、前記上側部分と前記中央部分とを合わせた領域内に在ることを特徴とする請求項１乃至５のいずれか一項に記載の映像表示システム。
【請求項７】
前記第一撮影装置が取り付けられている位置、及び、前記第二撮影装置が取り付けられている位置は、いずれも、前記上側部分と前記中央部分とを合わせた領域内に在ることを特徴とする請求項６に記載の映像表示システム。
【請求項８】
前記第一撮影装置が取り付けられている位置、及び、前記第二撮影装置が取り付けられている位置は、いずれも、鉛直方向において前記筐体の中央位置付近であることを特徴とする請求項７に記載の映像表示システム。
【請求項９】
前記第一撮影装置の撮影範囲は、水平方向に長くなっており、
前記第二撮影装置の撮影範囲は、鉛直方向に長くなっており、
前記第一撮影装置が取り付けられている位置は、前記第二撮影装置が取り付けられている位置よりも上方に在ることを特徴とする請求項６乃至８のいずれか一項に記載の映像表示システム。
【請求項１０】
第一撮影装置が、所定方向に長くなった撮影範囲の映像を撮影し、
第二撮影装置が、前記所定方向と交差する方向に長くなった撮影範囲の映像を撮影し、
前記第一撮影装置の撮影映像及び前記第二撮影装置の撮影映像を配信することが可能な映像配信装置が、映像を配信し、
映像受信装置が、前記映像配信装置が配信した映像を受信して表示器に表示させ、
前記第一撮影装置及び前記第二撮影装置の各々は、当該各々の撮影範囲が部分的に重複するように配置された状態で映像を撮影し、
前記映像受信装置が前記映像配信装置から受信した映像を前記表示器に表示させる際には、前記第一撮影装置の撮影映像及び前記第二撮影装置の撮影映像のうち、前記映像受信装置に記憶された条件であって前記表示器に映像を表示させる際の条件に応じて選択されたいずれか一方の映像を表示させることを特徴とする映像表示方法。
【発明の詳細な説明】
【技術分野】
【０００１】
本発明は、映像表示システム及び映像表示方法に係り、特に、撮影範囲が部分的に重なっている複数の撮影装置にて映像を撮影した際に、いずれか一つの撮影装置が撮影した映像を表示させる映像表示システム及び映像表示方法に関する。
【背景技術】
【０００２】
互いにアスペクト比が異なる映像を撮影する複数のカメラが共通の被写体を撮影した場合において、いずれのカメラの撮影映像を表示するのかを、映像表示条件に応じて適切に決めることは既に知られている（例えば、特許文献１参照）。
【０００３】
特許文献１に記載の技術では、アスペクト比３：４の撮像を行う第一カメラと、アスペクト比９：１６の撮像を行う第二カメラと、が設置されており、いずれか一方のカメラが撮影した映像をモニタに表示させる。そして、いずれのカメラの撮像映像を表示させるかは、モニタのアスペクト比に応じて決められることになっている。すなわち、特許文献１では、例えばモニタのアスペクト比が３：４であるとき、第一カメラが撮像した映像を上記のモニタに表示させることになる。
【０００４】
以上のように、特許文献１によれば、モニタのアスペクト比に応じて第一カメラ若しくは第二カメラのうちのいずれか一方を選択することにより、映像の伝送を効率的に行い、モニタに適した映像信号を取得することが可能となる。
【先行技術文献】
【特許文献】
【０００５】
【特許文献１】特開平７−５９０７０号公報
【発明の概要】
【発明が解決しようとする課題】
【０００６】
ところで、モニタに表示させる映像のアスペクト比は、多様であり、モニタの形状、設計仕様若しくはモニタの利用形態に応じて変わってくる。一方、特許文献１では、第一カメラが撮像する際のアスペクト比（３：４）と、第二カメラが撮像する際のアスペクト比（９：１６）とが比較的近く、これら２つのカメラが撮像した映像は、いずれも横長の映像となっている。かかる構成では、縦長のモニタを使用している場合において、上記２つのカメラが撮影した映像のうちの一方に対して、横方向の長さを縮めたり縦方向の長さを伸ばしたりする等、アスペクト比を変更する処理を実行する必要がある。こうしたアスペクト比変更処理を実行しようとすると、処理実行に時間を要し、また、表示される映像が撮影時の映像から変更されて画質が劣化する虞がある。
【０００７】
そこで、本発明は、上記の課題に鑑みてなされたものであり、その目的とするところは、部分的に撮影範囲が重複した複数の撮影装置にて映像を撮影した際に、映像表示条件に応じて適切な映像を表示することが可能な映像表示システム及び映像表示方法を提供することである。
【課題を解決するための手段】
【０００８】
前記課題は、本発明の映像表示システムによれば、（Ａ）所定方向に長くなった撮影範囲の映像を撮影する第一撮影装置と、（Ｂ）前記所定方向と交差する方向に長くなった撮影範囲の映像を撮影する第二撮影装置と、（Ｃ）前記第一撮影装置の撮影映像及び前記第二撮影装置の撮影映像を配信することが可能な映像配信装置と、（Ｄ）映像を表示する表示器と、（Ｅ）前記映像配信装置が配信した映像を受信して前記表示器に表示させる映像受信装置と、を有し、（Ｆ）前記第一撮影装置及び前記第二撮影装置の各々は、当該各々の撮影範囲が部分的に重複するように配置されており、（Ｇ）前記映像受信装置は、前記表示器に映像を表示させる際の条件を記憶しており、前記映像配信装置から受信した映像を前記表示器に表示させる際に、前記第一撮影装置の撮影映像及び前記第二撮影装置の撮影映像のうち、前記条件に応じて選択されたいずれか一方の映像を表示させることにより解決される。
【０００９】
上記のように構成された本発明の映像表示システムでは、第一撮影装置の撮影範囲と第二撮影装置の撮影範囲とが互いに交差しており、部分的に重複している。また、第一撮影装置の撮影映像及び第二撮影装置の撮影映像のうち、どちらの映像を表示器に表示するのかは、映像受信装置に記憶された映像表示条件に応じて決められる。この結果、互いに交差する２つの撮影範囲のうち、映像表示条件に適した撮影範囲にて撮影された映像が表示器に表示されるようになる。つまり、上記の構成により、互いに撮影範囲が交差する２種類の撮影装置にて同一の被写体を撮影した際に、映像表示条件に応じて適切な映像を選んで表示器に表示させることが可能となる。
【００１０】
また、上記の映像表示システムにおいて、前記映像受信装置は、前記条件として、前記表示器に形成された映像表示画面のアスペクト比を記憶しており、該アスペクト比を示すデータを前記映像配信装置に向けて送信し、前記映像配信装置は、前記データを前記映像受信装置から受信すると、前記第一撮影装置の撮影映像及び前記第二撮影装置の撮影映像のうち、前記データが示す前記アスペクト比と対応する映像のみを前記映像受信装置に向けて配信すると良い。
上記の構成では、映像表示画面のアスペクト比を示すデータを映像配信装置に向けて送信する。一方で、映像配信装置は、第一撮影装置の撮影映像及び第二撮影装置の撮影映像のうち、映像表示画面のアスペクト比と対応する映像のみを映像受信装置に向けて配信する。これにより、映像配信を効率よく行うことが可能となり、映像受信装置側でも表示映像のみを受信するため、不要な映像を受信する必要がなくなる。
【００１１】
また、上記の映像表示システムにおいて、前記アスペクト比が反転するように前記表示器の姿勢が変化した際、前記映像受信装置は、反転後の前記アスペクト比を示すように前記データを更新し、前記映像配信装置に向けて更新後の前記データを送信し、前記映像配信装置は、前記データを前記映像受信装置から受信した後に更新後の前記データを受信すると、前記第一撮影装置の撮影映像及び前記第二撮影装置の撮影映像のうち、更新後の前記データを受信する前に配信していた映像とは異なる映像を前記映像受信装置に向けて配信すると良い。
上記の構成では、映像表示画面のアスペクト比が反転するように表示器の姿勢が変化したときに、反転後のアスペクト比を示すデータ（更新後のデータ）を映像配信装置に向けて送信する。一方で、映像配信装置は、更新後のデータを受信すると、第一撮影装置の撮影映像及び第二撮影装置の撮影映像のうち、更新後のデータを受信する前に配信していた映像とは異なる映像を配信する。これにより、表示器の姿勢変化によって映像表示画面のアスペクト比が反転した際に、反転後のアスペクト比に応じて配信映像を適切に切り替えることが可能となる。
【００１２】
また、上記の映像表示システムにおいて、前記表示器は、該表示器に形成された映像表示画面が複数の分割画面に分割された状態で、該複数の分割画面の各々に映像を表示することが可能であり、前記映像受信装置は、前記複数の分割画面の各々に映像を表示する際の前記条件として、前記複数の分割画面において前記映像配信装置から受信した映像と同時に表示される同時表示映像の有無、該同時表示映像の属性、及び、前記表示器に表示された映像を利用する利用者の人数のうち、少なくとも一つの情報を記憶しており、前記複数の分割画面の各々に映像を表示する期間中、前記第一撮影装置の撮影映像及び前記第二撮影装置の撮影映像のうち、前記少なくとも一つの情報に応じて選択されたいずれか一方の映像を表示させると良い。
上記の構成では、表示器に形成された映像表示画面を複数の分割画面に分割して映像を表示する際に、第一撮影装置の撮影映像及び第二撮影装置の撮影映像のうち、映像配信装置から受信した映像と同時に表示される同時表示映像の有無、該同時表示映像の属性、及び、表示器に表示された映像を利用する利用者の数のうちの少なくとも一つの情報に応じて一の映像を選択し、選択した映像を分割画面に表示する。これにより、映像表示画面を複数の分割画面に分割して映像を表示する場合にも適切な映像を表示することが可能となる。
【００１３】
また、上記の映像表示システムにおいて、前記映像配信装置は、前記第一撮影装置の撮影映像及び前記第二撮影装置の撮影映像の双方を前記映像受信装置に向けて配信し、前記映像受信装置は、前記双方を受信し、前記双方のうち、前記条件に応じて選択されたいずれか一方の映像を前記表示器に表示させてもよい。
上記の構成では、映像受信装置が第一撮影装置の撮影映像及び第二撮影装置の撮影映像の双方を受信し、当該双方のうち、映像表示条件に応じて一の映像を選んで表示器に表示させる。このような構成であれば、所定のデータ（例えば、映像表示画面のアスペクト比を示すデータの送信）を映像受信装置から映像配信装置に向けて送信する処理等を省略することが可能となる。
【００１４】
また、上記の映像表示システムにおいて、前記第一撮影装置と前記第二撮影装置とが鉛直方向に長い筐体に取り付けられており、前記筐体を鉛直方向において均一な三つの部分に区画したとき、前記第一撮影装置及び前記第二撮影装置のうちの少なくとも一方の撮影装置が取り付けられている位置は、前記筐体の上側部分、中央部分及び下側部分のうち、前記上側部分と前記中央部分とを合わせた領域内に在ると良い。
上記の構成では、第一撮影装置及び第二撮影装置のうちの少なくとも一方の撮影装置の取り付け位置が、筐体の上側部分及び中央部分を合わせた領域内に在る。このような位置関係にあれば、上記領域内に取り付けられている側の撮影装置が被写体を適切に撮影することが可能となる。
【００１５】
また、上記の映像表示システムにおいて、前記第一撮影装置が取り付けられている位置、及び、前記第二撮影装置が取り付けられている位置は、いずれも、前記上側部分と前記中央部分とを合わせた領域内に在ると良い。
上記の構成では、第一撮影装置及び第二撮影装置の各々の取り付け位置が、筐体の上側部分及び中央部分を合わせた領域内に在る。このような位置関係にあれば、第一撮影装置及び第二撮影装置の双方が被写体を適切に撮影することが可能となる。
【００１６】
また、上記の映像表示システムにおいて、前記第一撮影装置が取り付けられている位置、及び、前記第二撮影装置が取り付けられている位置は、いずれも、鉛直方向において前記筐体の中央位置付近であると良い。
上記の構成では、第一撮影装置及び第二撮影装置の各々の取り付け位置が、鉛直方向において筐体の中央位置付近である。このような位置関係にあれば、第一撮影装置及び第二撮影装置の双方が被写体を一段と適切に撮影することが可能となる。
【００１７】
また、上記の映像表示システムにおいて、前記第一撮影装置の撮影範囲は、水平方向に長くなっており、前記第二撮影装置の撮影範囲は、鉛直方向に長くなっており、前記第一撮影装置が取り付けられている位置は、前記第二撮影装置が取り付けられている位置よりも上方に在ると良い。
上記の構成では、横長の撮影範囲にて映像を撮影する第一撮影装置が、縦長の撮影範囲にて映像を撮影する第二撮影装置よりも上方に配置されている。このような位置関係であれば、横長となった第一撮影装置の撮影範囲（換言すると、縦方向に短くなった撮影範囲）内に被写体を収め易くなる。この結果、第一撮影装置が被写体を適切に撮影することが可能となる。
【００１８】
また、前述の課題は、本発明の映像表示方法によれば、（Ａ）第一撮影装置が、所定方向に長くなった撮影範囲の映像を撮影し、（Ｂ）第二撮影装置が、前記所定方向と交差する方向に長くなった撮影範囲の映像を撮影し、（Ｃ）前記第一撮影装置の撮影映像及び前記第二撮影装置の撮影映像を配信することが可能な映像配信装置が、映像を配信し、（Ｄ）映像受信装置が、前記映像配信装置が配信した映像を受信して表示器に表示させ、（Ｅ）前記第一撮影装置及び前記第二撮影装置の各々は、当該各々の撮影範囲が部分的に重複するように配置された状態で映像を撮影し、（Ｆ）前記映像受信装置が前記映像配信装置から受信した映像を前記表示器に表示させる際には、前記第一撮影装置の撮影映像及び前記第二撮影装置の撮影映像のうち、前記映像受信装置に記憶された条件であって前記表示器に映像を表示させる際の条件に応じて選択されたいずれか一方の映像を表示させることにより解決される。
上記の方法によれば、互いに撮影範囲が交差する２つの撮影装置にて同一の被写体を撮影した際に、当該２つの撮影装置の各々が撮影した映像のうち、映像表示条件に応じて適切な映像を選択して表示器に表示させることが可能となる。
【発明の効果】
【００１９】
本発明によれば、上記のように構成された本発明の映像表示システムでは、互いに撮影範囲が交差する２つの撮影装置にて同一の被写体を撮影し、当該２つの撮影装置が撮影した映像のうち、映像表示条件に応じて一の映像を選んで表示器に表示させる。これにより、表示器には、映像表示条件に適した映像が表示されるようになる。具体的に説明すると、上記２つの撮影装置により撮影された映像のうち、一方の撮影映像を選んで表示する構成であれば、映像表示に際して撮影映像のサイズを映像表示条件に合わせて変更する必要もなく、また、当該サイズ変更に起因する画質劣化も抑えられる。
【図面の簡単な説明】
【００２０】
【図１】本発明の第一実施形態に係る映像表示システムの概念図である。
【図２】第一撮影装置及び第二撮影装置が取り付けられた筐体の正面図である。
【図３】第一撮影装置及び第二撮影装置の各々の撮影範囲についての説明図である。
【図４】本発明の第一実施形態に係る表示器を示す図である（その１）。
【図５】本発明の第一実施形態に係る表示器を示す図である（その２）。
【図６】本発明の第一実施形態に係る映像表示フローを示す図である。
【図７】本発明の第二実施形態に係る映像表示システムの概念図である。
【図８】本発明の第二実施形態に係る表示器を示す図である。
【図９】本発明の第二実施形態に係る映像表示フローを示す図である。
【図１０】本発明の第三実施形態に係る映像表示システムの概念図である。
【図１１】本発明の第三実施形態に係る表示器を示す図である。
【図１２】本発明の第三実施形態に係る表示器の利用スケジュールを示す図である。
【図１３】本発明の第三実施形態に係る映像表示フローを示す図である。
【図１４】本発明の第四実施形態に係る映像表示フローを示す図である。
【図１５】本発明の第五実施形態に係る映像表示システムの概念図である。
【発明を実施するための形態】
【００２１】
以下、本発明についての具体的な実施形態（以下、本実施形態）を説明する。なお、本実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００２２】
＜＜本実施形態について＞＞
本実施形態に係る映像表示システムは、そのユーザが遠隔地に居る者の映像を利用（視聴）するために利用される通信システムである。そして、本実施形態に係る映像表示システムでは、本発明の映像表示方法が採用されており、ユーザは、同方法により表示された映像を利用することになる。なお、後に説明する映像表示フロー中の各ステップは、本発明の映像表示方法の構成要素に相当する。
以下では、本実施形態について５つの例を挙げて説明することとする。
【００２３】
（第一実施形態）
本実施形態の第一例（第一実施形態）について図１〜６を参照しながら説明する。第一実施形態に係る映像表示システムＳ１は、互いに離れた場所に居るユーザ同士がお互いの映像を確認するために用いられる双方向通信システムである。本システムは、例えば、互いに離れた場所に居るユーザ同士が擬似的に対面しながら会話したり、一方のユーザが他方のユーザに対して指示や指導を行ったり、一方のユーザが他方のユーザに対して商品紹介等のサービスを提供したりする目的で用いられる。本システムの用途については、特に限定されるものではないが、以下では説明を分かり易くするために、インストラクターが受講者を指導するケースを想定して説明することとする。
【００２４】
第一実施形態に係る映像表示システムＳ１を利用することにより、インストラクター及び受講者は、互いに異なる場所（具体的には、ジムと専用ブース）に居ながらお互いの映像をリアルタイムで確認することができる。具体的に説明すると、ジムに居る受講者は、ジムに設置されたディスプレイにてインストラクターの映像を見ながら、インストラクターの指導（レッスン）を受講することが可能である。一方で、専用ブースに居るインストラクターは、専用ブースに設置されたディスプレイにてレッスン受講中の受講者の映像を確認し、受講者の状態を監視することが可能である。なお、以下では、２つのジムＧ１，Ｇ２が存在しており、それぞれのジムにて受講者がインストラクターの映像を利用するケースを想定することとする。
【００２５】
次に、第一実施形態に係る映像表示システムＳ１の機器構成について説明する。本システムは、図１に示すように、専用ブース内に設置された通信ユニット１と、各ジム内に設置された通信ユニット２と、によって構成されている。各通信ユニット１、２は、図１に示すようにネットワークＷを介して接続されており、ユニット間でデータや信号の送受信を行う。具体的に説明すると、専用ブース側の通信ユニット１が専用ブース内に居るインストラクターの映像を提供し、各ジム側の通信ユニット２が当該映像を受信する。他方、各ジム側の通信ユニット２が各ジム内に居る受講者の映像を提供し、専用ブース側の通信ユニット１が当該映像を受信する。また、各通信ユニット１、２は、表示器としてのディスプレイ１４、２３を有しており、当該ディスプレイ１４、２３に受信した映像を表示する。
【００２６】
以下、それぞれの通信ユニット１、２の構成について個別に説明すると、専用ブース側の通信ユニット１は、図１に示すように、サーバコンピュータ１０と、第一カメラ１１と、第二カメラ１２と、マイク１３と、ディスプレイ１４と、スピーカ１５とを有する。
【００２７】
第一カメラ１１は、第一撮影装置に相当する。第二カメラ１２は、第二撮影装置に相当する。これら２つのカメラは、いずれも公知のウェブカメラからなり、専用ブース内において各々の撮影範囲（画角）内にある被写体の映像を撮影する。また、第一カメラ１１の撮影範囲と第二カメラ１２の撮影範囲とは、互いに略直交している。具体的に説明すると、第一カメラ１１の撮影範囲は、水平方向（所定方向に相当）に長くなっている。したがって、第一カメラ１１が撮影する映像は、横長の映像となる。これに対して、第二カメラ１２の撮影方向は、鉛直方向（所定方向と交差する方向に相当）に長くなっている。したがって、第二カメラ１２が撮影する映像は、縦長の映像となる。
【００２８】
ちなみに、「映像」とは、連続している複数のフレーム画像の集合体によって構成されたもの、すなわち、動画を意味する。
マイク１３は、公知のマイクからなり、専用ブース内の音声を集音する。
【００２９】
ディスプレイ１４は、その前面に形成された映像表示画面に映像を表示する。なお、第一実施形態に係るディスプレイ１４は、図２に示すように、鉛直方向に長い矩形形のパネル体によって構成されている。より具体的に説明すると、第一実施形態に係るディスプレイ１４は、映像表示画面を形成するディスプレイ本体１４ｐと、床に接地している脚部１４ｑと、縦長な箱状の筐体１４ｒとを有する。ディスプレイ本体１４ｐは、筐体１４ｒの前面に取り付けられており、人物映像を等身大サイズにて表示するのに十分な画面サイズとなっている。
【００３０】
筐体１４ｒは、ディスプレイ本体１４ｐよりも一回り大きく、その下面に取り付けられた脚部１４ｑによって支持されている。また、図２に示すように、筐体１４ｒのうち、ディスプレイ本体１４ｐの周りには、第一カメラ１１、第二カメラ１２、マイク１３及びスピーカ１５が取り付けられている。なお、筐体１４ｒにおける第一カメラ１１及び第二カメラ１２の取り付け位置については、後述する。
【００３１】
スピーカ１５は、公知のスピーカからなり、音声を再生したときの再生音を発する。
サーバコンピュータ１０は、専用ブース側の通信ユニット１の中枢をなす装置であり、一般的なサーバコンピュータによって構成されている。このサーバコンピュータ１０の構成は、公知であり、ＣＰＵ、ＲＯＭやＲＡＭ等のメモリ、通信用インタフェース及びハードディスクドライブ等を構成機器として有する。また、サーバコンピュータ１０には、その機能を実現するためのコンピュータプログラムがインストールされている。
【００３２】
そして、上記のコンピュータプログラムが実行されることにより、サーバコンピュータ１０は、第一カメラ１１や第二カメラ１２が撮影した映像（以下、カメラ映像とも言う）、及びマイク１３が集音した音声をジム側の通信ユニット２に向けて配信する。つまり、サーバコンピュータ１０は、各カメラが撮影したカメラ映像を音声と共に配信することが可能である。なお、マイク１３が集音した音声については、カメラ映像中に組み込まれた状態で配信されることになっているが、これに限定されるものではなく、マイク１３が集音した音声とカメラ映像とが別々に配信されてもよい。
【００３３】
また、サーバコンピュータ１０は、ネットワークＷを経由してジム側の通信ユニット２が提供する映像や音声を受信する。そして、サーバコンピュータ１０は、受信した映像をディスプレイ１４に表示させると共に、受信した音声の再生音をスピーカ１５から発する。これにより、専用ブースでは、受講者の人物映像を含むジム内の映像がディスプレイ１４に表示され、スピーカ１５からは、ジム内で集音された音声（例えば、受講者の声）の再生音が発せられるようになる。
【００３４】
ここで、既に説明した第一カメラ１１及び第二カメラ１２について、各々の位置等を説明する。上記２つのカメラは、ディスプレイ１４の筐体１４ｒに取り付けられている。また、上記２つのカメラは、水平方向においてディスプレイ本体１４ｐの脇位置に在り、鉛直方向において並んだ状態で筐体１４ｒに取り付けられている。筐体１４ｒにおける各カメラの取り付け位置について図２を参照しながら説明すると、筐体１４ｒを鉛直方向において均一な三つの部分に区画したとき、第一カメラ１１及び第二カメラ１２の双方の取り付け位置は、筐体１４ｒの上側部分ｒ１、中央部分ｒ２及び下側部分ｒ３のうち、上側部分ｒ１と中央部分ｒ２とを合わせた領域内に在る。
【００３５】
厳密に説明すると、図２に示すように、第一カメラ１１及び第二カメラ１２の双方の取り付け位置は、筐体１４ｒの中央位置（図２中、一点鎖線にて示す位置）付近に在る。ここで、ディスプレイ１４は、鉛直方向において床面から１０００ｍｍ〜１２００ｍｍの範囲に筐体１４ｒの中央位置が至るように設計されている。このため、第一カメラ１１及び第二カメラ１２の双方は、上述の位置に取り付けられていることにより、被写体を適切に撮影することが可能である。かかる内容について説明すると、床面から１０００ｍｍ〜１２００ｍｍの範囲は、通常、一般成人が椅子等に着座した際、その人の目線が位置する範囲となる。したがって、上記の範囲にディスプレイ１４の筐体１４ｒの中央位置が在り、当該中央位置付近に第一カメラ１１及び第二カメラ１２が取り付けられていれば、各カメラは、図３に示すように、ディスプレイ１４の正面位置で椅子に着座している人を適切に撮影することが可能となる。
【００３６】
また、本実施形態では、筐体１４ｒにおいて第一カメラ１１が取り付けられている位置が、第二カメラ１２が取り付けられている位置よりも上方に位置している。このように横長の映像を撮影する第一カメラ１１がより上方に配置されれば、当該第一カメラ１１の撮影範囲内に被写体（例えば、ディスプレイ１４の前で着座している人）を収め易くなる。この結果、第一カメラ１１は、被写体を適切に撮影することが可能となる。
【００３７】
なお、第一カメラ１１及び第二カメラ１２の位置については、上記の位置に限定されるものではない。具体的に説明すると、本実施形態では、第一カメラ１１及び第二カメラ１２の双方が鉛直方向において筐体１４ｒの上側部分ｒ１と中央部分ｒ２とを合わせた領域内に取り付けられていることとした。ただし、上記２つのカメラのうちの少なくとも一つが当該領域内に取り付けられていればよく、第一カメラ１１のみが当該領域内に取り付けられており、第二カメラ１２が筐体１４ｒの下側部分ｒ３に取り付けられてもよい。また、本実施形態では、第一カメラ１１及び第二カメラ１２の双方の取り付け位置が筐体１４ｒの中央位置付近に在ることとした。ただし、これに限定されず、第一カメラ１１が筐体１４ｒの上端部（図２においてマイク１３が設置されている部分）に取り付けられてもよい。
【００３８】
以上までに説明してきたように、第一カメラ１１及び第二カメラ１２は、互いに近接しており、略同じ方向を向いた状態でディスプレイ１４の筐体１４ｒに取り付けられている。これにより、第一カメラ１１及び第二カメラ１２は、図３に示すように、部分的に重複した範囲の映像を撮影することになる。換言すると、第一カメラ１１及び第二カメラ１２の各々は、当該各々の撮影範囲が部分的に重複するように配置されている。
【００３９】
第一カメラ１１及び第二カメラ１２の撮影範囲について図３を参照しながら説明すると、ディスプレイ１４の正面位置に複数の人が横並び状態で着座しているとき、図３に示すように、第一カメラ１１の撮影範囲（図３中、記号Ｆ１が付された範囲）には、複数の人の上半身が入るようになる。他方、第二カメラ１２の撮影範囲（図３中、記号Ｆ２が付された範囲）には、一人（例えば、複数の人のうち、真ん中に居る人）の全身が入るようになる。
【００４０】
次に、ジム側の通信ユニット２の構成について説明する。ジム側の通信ユニット２は、２つのジムＧ１、Ｇ２の各々に設けられている。それぞれのジムＧ１、Ｇ２に設けられた通信ユニット２は、図１に示すように、サーバコンピュータ２０と、カメラ２１と、マイク２２と、ディスプレイ２３と、スピーカ２４とを有する。
【００４１】
カメラ２１は、公知のウェブカメラからなり、ジムＧ１、Ｇ２内において当該カメラ２１の撮影範囲（画角）内にある被写体の映像を撮影する。マイク２２は、公知のマイクからなり、ジムＧ１、Ｇ２内の音声を集音する。スピーカ２４は、公知のスピーカからなり、音声を再生したときの再生音を発する。
【００４２】
ディスプレイ２３は、表示器に相当し、その前面に形成された映像表示画面２３ｄに映像を表示する。なお、ジムＧ１内に設置されたディスプレイ２３（以下、ディスプレイ２３ａ）と、ジムＧ２内に設置されたディスプレイ２３（以下、ディスプレイ２３ｂ）とを対比すると、図４及び５に示すように、映像表示画面２３ｄのサイズ、具体的にはアスペクト比が異なっている。ここで、映像表示画面２３ｄのアスペクト比とは、映像表示画面２３ｄのうち、鉛直方向に沿う辺の長さ（図４及び５中、記号ｈにて示す）と、水平方向に沿う辺の長さ（図４及び５中、記号ｗにて示す）との比である。
【００４３】
より具体的に説明すると、ジムＧ１内に設置されたディスプレイ２３ａは、図４に示すように、水平方向に長い横長の映像表示画面２３ｄを有しており、そのアスペクト比は、以下の通りである。
ｈ：ｗ＝ａ：ｂ  （ａ＜ｂ）
また、ジムＧ２内に設置されたディスプレイ２３ｂは、図５に示すように、鉛直方向に長い縦長の映像表示画面２３ｄを有しており、そのアスペクト比は、以下の通りである。
ｈ：ｗ＝ｂ：ａ  （ａ＜ｂ）
【００４４】
サーバコンピュータ２０は、ジム側の通信ユニット２の中枢をなす装置であり、一般的なサーバコンピュータによって構成されている。このサーバコンピュータ２０の構成は、公知であり、ＣＰＵ、ＲＯＭやＲＡＭ等のメモリ、通信用インタフェース及びハードディスクドライブ等を構成機器として有する。また、サーバコンピュータ２０には、その機能を実現するためのコンピュータプログラムがインストールされている。
【００４５】
そして、上記のコンピュータプログラムが実行されることにより、サーバコンピュータ２０は、カメラ２１が撮影した映像（カメラ映像）、及びマイク２２が集音した音声をジム側の通信ユニット２に向けて配信する。なお、マイク２２が集音した音声については、カメラ映像中に組み込まれた状態で配信されることになっているが、これに限定されるものではなく、マイク２２が集音した音声とカメラ映像とが別々に配信されてもよい。
【００４６】
また、サーバコンピュータ２０は、ネットワークＷを経由して専用ブース側の通信ユニット１が提供する映像や音声を受信する。そして、サーバコンピュータ２０は、受信した映像をディスプレイ２３に表示させると共に、受信した音声の再生音をスピーカ２４から発する。これにより、各ジムＧ１、Ｇ２では、インストラクターの人物映像を含む専用ブーム内の映像がディスプレイ２３に表示され、スピーカ２４からは、専用ブース内で集音された音声（例えば、インストラクターの声）の再生音が発せられるようになる。
【００４７】
以上のように、第一実施形態では、専用ブース側の通信ユニット１と各ジム側の通信ユニット２とが互いに映像を提供し、相手側から提供された映像を受信して表示する。ここで、専用ブースの映像に着目した場合には、専用ブース側の通信ユニット１に搭載されたサーバコンピュータ１０が「映像配信装置」に相当し、ジム側の通信ユニット２に搭載されたサーバコンピュータ２０が「映像受信装置」に相当する。
【００４８】
以下では、専用ブースの映像に関する映像表示フローを例に挙げて、映像表示システムＳ１各部の動作について説明する。なお、以下では、便宜的に、専用ブース側の通信ユニット１に搭載されたサーバコンピュータ１０を「発信側のサーバコンピュータ１０」と呼び、ジム側の通信ユニット２に搭載されたサーバコンピュータ２０を「受信側のサーバコンピュータ２０」と呼ぶこととする。
【００４９】
専用ブースの映像に関する映像表示フローは、図６に図示の流れに従って進行する。具体的に説明すると、当該映像表示フローは、発信側のサーバコンピュータ１０と受信側のサーバコンピュータ２０とが通信を開始するところから始まる。映像表示フローでは、先ず、発信側のサーバコンピュータ１０が受信側のサーバコンピュータ２０に対して画面サイズデータの送信を要求する（Ｓ００１）。画面サイズデータとは、ジム側の通信ユニット２が有するディスプレイ２３（すなわち、ジムＧ１、Ｇ２内に設置されたディスプレイ２３）の映像表示画面２３ｄのアスペクト比を示すデータである。
【００５０】
受信側のサーバコンピュータ２０は、同じ通信ユニット２に属するディスプレイ２３に形成された映像表示画面２３ｄのアスペクト比を記憶している。具体的には、ジムＧ１に設けられた通信ユニット２が有するサーバコンピュータ２０は、ディスプレイ２３ａに形成された映像表示画面２３ｄのアスペクト比を記憶している。また、ジムＧ２に設けられた通信ユニット２が有するサーバコンピュータ２０は、ディスプレイ２３ｂに形成された映像表示画面２３ｄのアスペクト比を記憶している。
【００５１】
そして、受信側のサーバコンピュータ２０は、画面サイズデータの送信要求を受け付けると、記憶している映像表示画面２３ｄのアスペクト比を示す画面サイズデータを生成し、発信側のサーバコンピュータ１０に向けて送信する（Ｓ００２）。発信側のサーバコンピュータ１０は、ネットワークＷを経由して画面サイズデータを受信側のサーバコンピュータ２０から受信する（Ｓ００３）。
【００５２】
その後、発信側のサーバコンピュータ１０は、第一カメラ１１及び第二カメラ１２の双方から撮影映像（カメラ映像）を取得する（Ｓ００４）。なお、本ステップＳ００４に際し、第一カメラ１１及び第二カメラ１２の双方は、それぞれの撮影範囲の映像を撮影し、撮影映像を示す信号（映像信号）を発信側のサーバコンピュータ１０に対して逐次出力している。このとき、双方のカメラは、前述したように、各々の撮影範囲が部分的に重複するように配置された状態で、ディスプレイ１４の前に居る被写体の映像を撮影している。
【００５３】
カメラ映像の取得後、発信側のサーバコンピュータ１０は、前ステップＳ００４において双方のカメラから取得したカメラ映像のうち、ステップＳ００３にて受信した画面サイズデータが示す映像表示画面２３ｄのアスペクト比と対応する一のカメラ映像を選択する（Ｓ００５）。具体的に説明すると、横長の映像表示画面２３ｄのアスペクト比を示す画面サイズデータを受信した場合には、横長のカメラ映像、すなわち、第一カメラ１１の撮影映像を選択する。他方、縦長の映像表示画面２３ｄのアスペクト比を示す画面サイズデータを受信した場合には、縦長のカメラ映像、すなわち、第二カメラ１２の撮影映像を選択する。
【００５４】
その後、発信側のサーバコンピュータ１０は、第一カメラ１１及び第二カメラ１２の双方から取得したカメラ映像のうち、前ステップＳ００５にて選択した一のカメラ映像のみを受信側のサーバコンピュータ２０に向けて配信する（Ｓ００６）。
【００５５】
受信側のサーバコンピュータ２０は、ネットワークＷを経由してカメラ映像を発信側のサーバコンピュータ１０から受信する（Ｓ００７）。そして、受信側のサーバコンピュータ２０は、受信したカメラ映像をディスプレイ２３に表示させる（Ｓ００８）。この際、ディスプレイ２３の映像表示画面２３ｄには、そのアスペクト比に対応するサイズのカメラ映像が表示されることになる。具体的に説明すると、横長の映像表示画面２３ｄを有するディスプレイ２３ａには、図４に示すように、同じく横長のカメラ映像である第一カメラ１１の撮影映像（図中、記号Ａにて示す映像）が表示されるようになる。また、縦長の映像表示画面２３ｄを有するディスプレイ２３ｂには、図５に示すように、同じく縦長のカメラ映像である第二カメラ１２の撮影映像（図中、記号Ｂにて示す映像）が表示されるようになる。
【００５６】
以上までに説明してきた一連のステップのうち、発信側のサーバコンピュータ１０がカメラ映像を取得してから受信側のサーバコンピュータ２０が受信したカメラ映像を表示するまでのステップ（Ｓ００５〜Ｓ００８）は、受信側のサーバコンピュータ２０が所定の終了操作を受け付けるまで繰り返される（Ｓ００９）。
【００５７】
ちなみに、終了操作とは、ジム内に居る受講者が映像表示フローを終了させるために行う操作であり、例えば、ジム内に設置されたディスプレイ２３から所定距離以上離れる操作等が該当する。ただし、終了操作については、受信側のサーバコンピュータ２０が受け付け可能なものに限定されず、発信側のサーバコンピュータ１０が受け付け可能な操作であってもよい。すなわち、専用ブース内に居るインストラクターが映像表示フローを終了させるために終了操作を行ってもよい。
【００５８】
そして、受信側のサーバコンピュータ２０が終了操作を受け付けた時点で、映像表示フローが終了する。
【００５９】
以上までに説明してきた映像表示フローにより、第一実施形態では、第一カメラ１１及び第二カメラ１２の双方から取得したカメラ映像のうち、映像表示条件に応じて適切な映像を選んで受信側のディスプレイ２３に表示させることが可能となる。より詳しく説明すると、第一実施形態では、互いに撮影範囲が直交する第一カメラ１１及び第二カメラ１２の各々が、それぞれの撮影範囲が部分的に重複した状態で映像を撮影している。また、第一カメラ１１及び第二カメラ１２の双方から取得したカメラのうち、どちらの映像を受信側のディスプレイ２３に表示するのかは、映像表示条件、具体的には映像表示画面２３ｄのアスペクト比に応じて決められる。この結果、互いに撮影範囲が直交している２つのカメラ映像のうち、上記アスペクト比に適した映像が受信側のディスプレイ２３に表示されるようになる。
【００６０】
また、第一実施形態では、映像表示画面２３ｄのアスペクト比を示す画面サイズデータを発信側のサーバコンピュータ１０に向けて送信する。一方で、発信側のサーバコンピュータ１０は、第一カメラ１１及び第二カメラ１２の双方から取得したカメラ映像のうち、上記アスペクト比と対応する映像のみを受信側のサーバコンピュータ２０に向けて配信する。これにより、双方のカメラ映像を配信する場合と比べて、映像配信を効率よく行うことが可能となる。また、受信側のサーバコンピュータ２０でも表示映像のみを受信することになるため、不要な映像を受信することがなくなる。
【００６１】
なお、上述の実施形態では、発信側のサーバコンピュータ１０が第一カメラ１１及び第二カメラ１２の双方からカメラ映像を取得することになっているが、これに限定されるものではない。カメラ映像を取得する時点で既に受信している画面サイズデータから映像表示画面２３ｄのアスペクト比を特定し、第一カメラ１１の撮影映像及び第二カメラ１２の撮影映像のうち、特定したアスペクト比に対応する方のカメラ映像のみを取得してもよい。
【００６２】
（第二実施形態）
本実施形態の第二例（第二実施形態）について図７〜９を参照しながら説明する。第二実施形態に係る映像表示システムＳ２は、一方のユーザが遠隔地に居るユーザ（他方のユーザ）の映像を確認するために用いられる。より詳しく説明すると、一方のユーザは、他方のユーザの映像を視聴するためのユーザ端末を保有している。ユーザ端末は、例えば、ＰＤＡ（Ｐｅｒｓｏｎａｌ Ｄｉｇｉｔａｌ Ａｓｓｉｓｔａｎｔ）やスマートフォンによって構成されている。なお、本実施形態では、ＰＤＡからなるユーザ端末が用いられるケースを例に挙げて説明することとする。
【００６３】
次に、第二実施形態に係る映像表示システムＳ２の機器構成について図７を参照しながら説明する。なお、第二実施形態に係る映像表示システムＳ２の構成機器のうち、第一実施形態と重複する機器については、図７中、第一実施形態のケースと同じ符号を付し、説明を省略することとする。本システムは、図７に示すように、通信ユニット１とユーザ端末３０とによって構成されている。
【００６４】
通信ユニット１は、第一実施形態における専用ブース側の通信ユニット１と同様の構成となっている。すなわち、第二実施形態において、通信ユニット１に搭載されたサーバコンピュータ１０は、第一カメラ１１や第二カメラ１２から取得したカメラ映像を配信することが可能な「映像配信装置」に相当する。
【００６５】
ユーザ端末３０は、ネットワークＷを介してサーバコンピュータ１０と通信し、サーバコンピュータ１０が配信した映像を受信する。すなわち、第二実施形態において、ユーザ端末３０は、「映像受信装置」に相当する。また、ユーザ端末３０は、前述したようにＰＤＡからなり、図７に示すように、コントローラ３１及びディスプレイ３２を有する。ディスプレイ３２は、表示器に相当し、ユーザ端末３０をなすＰＤＡに搭載されたタッチパネルによって構成されている。また、ディスプレイ３２に形成された映像表示画面３２ｄは、図８に示すように矩形形状となっている。
【００６６】
コントローラ３１は、ユーザ端末３０をなすＰＤＡに内蔵されたＣＰＵ、メモリ、通信用インタフェース及びメモリに記憶されたプログラムによって構成されている。このコントローラ３１が、映像表示に関する一連の処理を実行することで、サーバコンピュータ１０から配信されてくる映像がディスプレイ３２に表示されるようになる。
【００６７】
また、コントローラ３１には、公知の姿勢検知機能が実装されている。この姿勢検知機能は、基準姿勢（図８中、実線にて示す姿勢）にあるユーザ端末３０をユーザが回転させて当該ユーザ端末３０の姿勢が変化した際の変化量（厳密には、回転量）を検知するものである。なお、ユーザ端末３０の姿勢は、ディスプレイ３２の姿勢と一致する。すなわち、ユーザ端末３０を回転させてその姿勢を変化させると、必然的に、ディスプレイ３２の姿勢が変化することになる。
【００６８】
また、コントローラ３１は、ディスプレイ３２に形成された映像表示画面３２ｄのアスペクト比を記憶している。そして、コントローラ３１は、ユーザ端末３０の姿勢変化を検知した際に、記憶しているアスペクト比を必要に応じて修正する。具体的に説明すると、ユーザ端末３０の姿勢が基準姿勢から９０度回転させた姿勢（図８中、破線にて示す姿勢）に変化したとき、ディスプレイ３２に形成された映像表示画面３２ｄのアスペクト比が反転する。詳しく説明すると、ユーザ端末３０の姿勢が基準姿勢にあるときには、映像表示画面３２ｄのアスペクト比は、以下の通りになる。
ｈ１：ｗ１＝ａ：ｂ  （ａ＜ｂ）
そして、ユーザ端末３０の姿勢が基準姿勢から９０度回転させた姿勢に変化すると、映像表示画面３２ｄのアスペクト比は、以下の通りに変化する。
ｈ２：ｗ２＝ｂ：ａ  （ａ＞ｂ）
【００６９】
次に、第二実施形態に係る映像表示フローの流れを参照しつつ、映像表示システムＳ２各部の動作について説明する。第二実施形態に係る映像表示フローは、図９に図示の流れに従って進行する。図９に示すように、第二実施形態に係る映像表示フロー中、サーバコンピュータ１０がユーザ端末３０に対して画面サイズデータの送信を要求してからユーザ端末３０側のディスプレイ３２にカメラ映像を表示するまでのステップ（Ｓ０１１〜Ｓ０１８）は、第一実施形態に係る映像表示フローと共通する。
【００７０】
より詳しく説明すると、第二実施形態に係る映像表示フローでは、サーバコンピュータ１０からの送信要求を受けたユーザ端末３０が、記憶している映像表示画面３２ｄのアスペクト比を示す画面サイズデータを生成してサーバコンピュータ１０に向けて送信する（Ｓ０１１，Ｓ０１２）。サーバコンピュータ１０は、画面サイズデータをユーザ端末３０から受信した後（Ｓ０１３）、第一カメラ１１及び第二カメラ１２の双方からカメラ映像を取得する（Ｓ０１４）。
【００７１】
その後、サーバコンピュータ１０は、取得した２つのカメラ映像のうち、受信した画面サイズデータが示すアスペクト比と対応する一のカメラ映像を選択し（Ｓ０１５）、選択したカメラ映像をユーザ端末３０に向けて配信する（Ｓ０１６）。ユーザ端末３０は、カメラ映像を受信すると（Ｓ０１７）、当該カメラ映像をディスプレイ３２に表示させる（Ｓ０１８）。
【００７２】
カメラ映像の表示後、ユーザ端末３０は、終了操作を受け付けたか否かを判定し（Ｓ０１９）、終了操作を受け付けたと判定した時点で映像表示フローを終了する。一方、終了操作を受け付けていないと判定したとき、その後の処理は、ユーザ端末３０の姿勢変化の有無に応じて決まる（Ｓ０２０）。姿勢変化が無い場合には、サーバコンピュータ１０がカメラ映像を取得するステップＳ０１４まで戻って以降のステップが繰り返される。
【００７３】
ステップＳ０２０においてユーザ端末３０の姿勢変化が有る場合には、ユーザ端末３０のコントローラ３１が当該姿勢変化を検知する。ここで、映像表示画面２３ｄのアスペクト比が反転するようにユーザ端末３０の姿勢が変化した際、コントローラ３１は、ユーザ端末３０が記憶しているアスペクト比を反転後のアスペクト比に修正する。これに伴い、ユーザ端末３０は、反転後のアスペクト比を示すように画面サイズデータを更新する（Ｓ０２１）。その後、ユーザ端末３０は、サーバコンピュータ１０に向けて更新後の画面サイズデータを送信する（Ｓ０２２）。
【００７４】
サーバコンピュータ１０が更新後の画面サイズデータを受信すると、ステップＳ０１３まで戻り、それ以降のステップ（つまり、カメラ映像を取得するステップＳ０１４以降のステップ）が繰り返される。ここで、サーバコンピュータ１０は、画面サイズデータをユーザ端末３０から受信した後に更新後の画面サイズデータを受信すると、第一カメラ１１及び第二カメラ１２の双方から取得したカメラ映像のうち、更新後の画面サイズデータを受信する前に配信していたカメラ映像とは異なるカメラ映像をユーザ端末３０に向けて配信するようになる。
【００７５】
具体的に説明すると、ユーザ端末３０が基準姿勢にあるとき、サーバコンピュータ１０は、当該基準姿勢時の映像表示画面３２ｄのアスペクト比と対応したカメラ映像として、横長のカメラ映像（すなわち、第一カメラ１１の撮影映像）をユーザ端末３０に向けて配信する。その後、ユーザ端末３０の姿勢が９０度回転してアスペクト比が反転すると、サーバコンピュータ１０は、反転後のアスペクト比と対応したカメラ映像として、縦長のカメラ映像（すなわち、第二カメラ１２の撮影映像）をユーザ端末３０に向けて配信するようになる。
【００７６】
以上までに説明してきたように、第二実施形態では、映像表示画面３２ｄのアスペクト比に適した映像がユーザ端末３０のディスプレイ３２に表示されることに加え、当該ユーザ端末３０の姿勢変化によって上記アスペクト比が反転したとき、これを反映して配信映像が適切に切り替えられる。これにより、ユーザ端末３０を見ているユーザは、状況に応じてユーザ端末３０の姿勢（保持姿勢）を変えた場合にも、引き続き良好な画質にてカメラ映像を視聴することが可能となる。
【００７７】
（第三実施形態）
本実施形態の第三例（第三実施形態）について図１０〜１３を参照しながら説明する。第三実施形態に係る映像表示システムＳ３は、第一実施形態と同様、互いに離れた場所に居るユーザ同士がお互いの映像を確認するために用いられる双方向通信システムである。より詳しく説明すると、第三実施形態に係る映像表示システムＳ３は、図１０に示すように、通信ユニット１、２によって構成されており、各ユニットは、互いに離れた場所にそれぞれ設置されている。また、第三実施形態では、通信ユニット２が複数の通信ユニット１（図１０では、２基の通信ユニット１）からの映像を受信することになっている。そして、通信ユニット２では、複数の通信ユニット１の各々から受信した映像をディスプレイ２３に同時に表示することが可能である。
【００７８】
以下、第三実施形態に係る映像表示システムＳ１の機器構成について説明する。なお、以下では、複数の通信ユニット１のうちの一つが場所Ｘに設置されており、もう一つが場所Ｙに設置されており、通信ユニット２が場所Ｚに設置されているケースを例に挙げて説明する。
【００７９】
場所Ｘに設置された通信ユニット１及び場所Ｙに設置された通信ユニット１は、いずれも第一実施形態に係る通信ユニット１と同様の構成になっており、図１０に示すように、サーバコンピュータ１０、第一カメラ１１、第二カメラ１２、マイク１３、ディスプレイ１４、及びスピーカ１５を有する。それぞれの機器は、第一実施形態に係る機器と同様であるため、説明を省略することとする。
【００８０】
そして、各通信ユニット１に搭載されたサーバコンピュータ１０は、当該各通信ユニット１が設置されている場所（場所Ｘ、Ｙ）の映像を、場所Ｚに設置された通信ユニット２に向けて配信する。かかる意味で、各通信ユニット１に搭載されたサーバコンピュータ１０は、「映像配信装置」に相当すると言える。なお、各通信ユニット１のサーバコンピュータ１０の構成及び機能については共通するため、以下では、場所Ｘに設置された通信ユニット１のサーバコンピュータ１０を例に挙げて説明することとする。
【００８１】
場所Ｚに設置された通信ユニット２は、図１０に示すように、サーバコンピュータ２０、カメラ２１、マイク２２、ディスプレイ２３及びスピーカ２４を有する。このうち、カメラ２１、マイク２２及びスピーカ２４は、第一実施形態に係る機器と同様であるため、説明を省略することとする。ディスプレイ２３は、表示器に該当し、その前面に形成された映像表示画面２３ｄに映像を表示する。ディスプレイ２３は、通常時、フル画面表示にて映像を表示する。すなわち、通常時の映像表示画面２３ｄには、図１１に示すように一つの映像が画面全体に亘って表示（全画面表示）される。
【００８２】
さらに、第三実施形態において、ディスプレイ２３は、映像表示画面２３ｄが複数の分割画面２３ｅに分割された状態で、該複数の分割画面２３ｅの各々に映像を表示することが可能である。具体的に説明すると、映像表示画面２３ｄは、図１１に示すように左右２つの分割画面２３ｅに分割可能であり、また、上下２つの分割画面２３ｅに分割することも可能である。そして、ディスプレイ２３は、映像表示画面２３ｄが複数の分割画面２３ｅに分割されたとき、それぞれの分割画面２３ｅに異なる映像を表示する。
【００８３】
以上のようなディスプレイ２３の構成により、第三実施形態では、ディスプレイ２３に複数の映像を同時表示させることが可能である。これにより、複数のユーザ（ディスプレイ２３に表示される映像を利用する利用者）がディスプレイ２３を同時に利用することができるようになる。具体的に説明すると、映像表示画面２３ｄが複数のユーザの数と同じ数の分割画面２３ｅに分割されることで、各ユーザは、所望の映像を、当該映像が表示されている分割画面２３ｅにて利用（視聴）することが可能となる。
【００８４】
なお、図１１に図示のケースでは、映像表示画面２３ｄが２つの分割画面２３ｅに分割されているが、画面分割数については特に制限がなく、任意の数に設定してもよい。また、画面分割のパターンについては、図１１の下段に図示された３つのパターンのうち、左に図示したパターンと中央に図示したパターンのように、各分割画面２３ｅのアスペクト比が揃うように画面分割を行ってもよく、若しくは、右に図示したパターンのように分割画面２３ｅ間でアスペクト比が相違するように画面分割を行ってもよい。以下では、各分割画面２３ｅのアスペクト比が揃うように画面分割を行う構成について説明することとする。
【００８５】
通信ユニット２に搭載されたサーバコンピュータ２０は、各通信ユニット１から配信された映像を受信し、ディスプレイ２３に当該映像を表示させる。かかる意味で、通信ユニット２に搭載されたサーバコンピュータ２０は、「映像受信装置」に相当すると言える。また、通信ユニット２に搭載されたサーバコンピュータ２０は、ディスプレイ２３に映像を表示させる際、利用スケジュールに応じて映像表示画面２３ｄの分割の要否を判定し、画面分割が必要なとき、映像表示画面２３ｄを当該利用スケジュールに応じた数の分割画面２３ｅに分割する。
【００８６】
ここで、利用スケジュールについて図１２を参照しながら説明すると、１日におけるディスプレイ２３の利用予定を定めたものであり、具体的には、各時間帯における利用者の人数、ディスプレイ２３に同時表示される映像の数、及び同時表示映像のタイプを規定している。「同時表示映像」とは、場所Ｘに設置された通信ユニット１のサーバコンピュータ１０が配信した映像と同時表示される映像のことであり、例えば、場所Ｙに設置された通信ユニット１やその他の映像提供元から提供される映像のことである。また、「タイプ」とは、映像の属性のことであり、その映像の種類（例えば、ジャンル）、映像サイズ（例えば、アスペクト比）、表示時間、表示優先度、映像利用規模（例えば、その映像を利用する人の数）等が挙げられる。
【００８７】
通信ユニット２のサーバコンピュータ２０は、上記の利用スケジュールを日別に記憶しており、該当日の利用スケジュールを参照して映像表示画面２３ｄの分割の要否を判定する。図１２に示す利用スケジュールを例に挙げて説明すると、ある日の１０：００〜１１：００の時間帯における利用者数が１人であり、当該時間帯にディスプレイ２３に同時表示する映像の数が１つであったとき、分割なしと判定する。この場合、通信ユニット２のサーバコンピュータ２０は、上記の時間帯（１０：００〜１１：００）において映像表示画面２３ｄを分割せず、一つの映像のみをディスプレイ２３に表示させる。
【００８８】
また、１１：００〜１２：００の時間帯における利用者数が２人であり、当該時間帯にディスプレイ２３に同時表示する映像が２つであり、同時表示映像がタイプＴｂであるとき、分割要と判定する。なお、タイプＴｂとは、縦長映像であることを意味している。そして、通信ユニット２のサーバコンピュータ２０は、上記の時間帯（１１：００〜１２：００）において映像表示画面２３ｄを左右２つの分割画面２３ｅに分割し、それぞれの分割画面２３ｅに映像を表示させる。
【００８９】
また、１９：００〜２０：００の時間帯における利用者数が２人であり、当該時間帯にディスプレイ２３に同時表示する映像が２つであり、同時表示映像がタイプＴｃであるとき、分割要と判定する。なお、タイプＴｃとは、横長映像であることを意味している。そして、通信ユニット２のサーバコンピュータ２０は、上記の時間帯（１９：００〜２０：００）において映像表示画面２３ｄを上下２つの分割画面２３ｅに分割し、それぞれの分割画面２３ｅに映像を表示させる。
【００９０】
次に、第三実施形態に係る映像表示フローの流れを参照しつつ、映像表示システムＳ３各部の動作について説明する。なお、以下の説明では、便宜的に、場所Ｘに設置された通信ユニット１のサーバコンピュータ１０を「発信側のサーバコンピュータ１０」と呼び、場所Ｚに設置された通信ユニット２のサーバコンピュータ２０を「受信側のサーバコンピュータ２０」と呼ぶこととする。
【００９１】
第三実施形態に係る映像表示フローは、図１３に図示の流れに従って進行する。図１３に示すように、第三実施形態に係る映像表示フローでは、先ず、発信側のサーバコンピュータ１０が受信側のサーバコンピュータ２０に対して画面サイズデータの送信を要求する（Ｓ０３１）。当該要求を受け付けた受信側のサーバコンピュータ２０は、該当日の利用スケジュールを参照し、現時点が分割画面利用期間中に相当するか否かを判定する（Ｓ０３２）。分割画面利用期間とは、映像表示画面２３ｄが分割された状態でディスプレイ２３に映像を表示させる期間（換言すると、画面分割が必要な期間）のことである。
【００９２】
現時点が分割画面利用期間中にある場合、受信側のサーバコンピュータ２０は、利用スケジュールを参照して、現時点における映像利用者数、ディスプレイ２３に同時表示される映像数及び同時表示映像のタイプを特定する（Ｓ０３３）。その後、受信側のサーバコンピュータ２０は、前ステップＳ０３３で特定した内容に応じて映像表示画面２３ｄを分割した際の分割画面２３ｅについて、当該分割画面２３ｅのアスペクト比を示す画面サイズデータを生成し、発信側のサーバコンピュータ１０に向けて送信する（Ｓ０３４）。
【００９３】
一方、現時点が分割画面利用期間中でない場合、受信側のサーバコンピュータ２０は、映像表示画面２３ｄについて全画面のアスペクト比を示す画面サイズデータを生成し、発信側のサーバコンピュータ１０に向けて送信する（Ｓ０３５）。発信側のサーバコンピュータ１０は、ネットワークＷを経由して画面サイズデータを受信側のサーバコンピュータ２０から受信し（Ｓ０３６）、その後、第一カメラ１１及び第二カメラ１２の双方からカメラ映像を取得する（Ｓ０３７）。
【００９４】
カメラ映像の取得後、発信側のサーバコンピュータ１０は、前ステップＳ０３７において双方のカメラから取得したカメラ映像のうち、ステップＳ０３６にて受信した画面サイズデータが示すアスペクト比と対応する一のカメラ映像を選択する（Ｓ０３８）。具体的に説明すると、映像表示画面２３ｄの全画面のアスペクト比を示す画面サイズデータを受信した場合、横長のカメラ映像、すなわち、第一カメラ１１の撮影映像を選択する。また、映像表示画面２３ｄを左右二分割した際の分割画面２３ｅ（縦長の分割画面２３ｅ）のアスペクト比を示す画面サイズデータを受信した場合には、縦長のカメラ映像、すなわち、第二カメラ１２の撮影映像を選択する。また、映像表示画面２３ｄを上下二分割した際の分割画面２３ｅ（横長の分割画面２３ｅ）のアスペクト比を示す画面サイズデータを受信した場合には、横長のカメラ映像、すなわち、第一カメラ１１の撮影映像を選択する。
【００９５】
その後、発信側のサーバコンピュータ１０は、第一カメラ１１及び第二カメラ１２の双方から取得したカメラ映像のうち、前ステップＳ０３８にて選択した一のカメラ映像のみを受信側のサーバコンピュータ２０に向けて配信する（Ｓ０３９）。受信側のサーバコンピュータ２０は、発信側のサーバコンピュータ１０が配信したカメラ映像を、ネットワークＷを経由して受信する（Ｓ０４０）。
【００９６】
受信側のサーバコンピュータ２０は、受信したカメラ映像をディスプレイ２３に表示させる（Ｓ０４１）。この際、分割画面利用期間中でなければ、図１１中の上図に示すように、上記カメラ映像が映像表示画面２３ｄに全画面表示される。一方で、分割画面利用期間中において縦長のカメラ映像を受信した場合には、図１１中の左下図に示すように、映像表示画面２３ｄが左右２つの分割画面２３ｅに分割された上で、上記縦長のカメラ映像が同時表示映像と共にディスプレイ２３に同時表示される。また、分割画面利用期間中において横長のカメラ映像を受信した場合には、図１１中の右下図に示すように、映像表示画面２３ｄが上下２つの分割画面２３ｅに分割された上で、上記横長のカメラ映像が同時表示映像と共にディスプレイ２３に同時表示される。
【００９７】
ちなみに、図１１では、発信側のサーバコンピュータ１０が配信するカメラ映像のうち、第一カメラ１１の撮像映像を記号Ｔａ１にて示し、第二カメラ１２の撮像映像を記号Ｔａ２にて示している。また、同図では、同時表示映像を記号Ｔｂ，Ｔｃにて示している。
【００９８】
カメラ映像の表示後、受信側のサーバコンピュータ２０は、終了操作を受け付けたか否かを判定し（Ｓ０４２）、終了操作を受け付けたと判定した時点で映像表示フローを終了する。
【００９９】
一方、終了操作を受け付けていないと判定したとき、受信側のサーバコンピュータ２０は、利用スケジュールを再度参照し、分割画面利用期間が継続中であるか否かを判定する（Ｓ０４３）。分割画面利用期間が継続中である場合には、発信側のサーバコンピュータ１０がカメラ映像を取得するステップＳ０３７まで戻って以降のステップが繰り返される。他方、分割画面利用期間が終了して通常期間（非分割画面利用期間）に移行している場合には、受信側のサーバコンピュータ２０が映像表示画面２３ｄの全画面のアスペクト比を示す画面サイズデータを送信するステップＳ０３５まで戻って以降のステップが繰り返される。
【０１００】
以上までに説明してきたように、第三実施形態では、ディスプレイ２３の映像表示画面２３ｄを複数の分割画面２３ｅに分割して映像を表示する場合、映像利用者の数、同時表示映像の有無（厳密には、ディスプレイ２３に同時表示される映像の数）、同時表示映像のタイプを特定する。その特定結果から分割画面２３ｅのアスペクト比を割り出し、第一カメラ１１及び第二カメラ１２の双方から取得したカメラ映像のうち、上記アスペクト比に対応する映像を、受信側のサーバコンピュータ２０が受信して分割画面２３ｅに表示する。これにより、映像表示画面２３ｄを複数の分割画面２３ｅに分割し、対応する分割画面２３ｅに受信映像を表示する際に良好な画質にて表示することが可能となる。
【０１０１】
なお、上記の実施形態では、受信側のサーバコンピュータ２０が映像利用者の数、同時表示映像の有無、及び同時表示映像のタイプを記憶しており、これら３つの情報全てに応じたカメラ映像が表示映像として選択されることとした。ただし、これに限定されるものではなく、上記３つの情報のうちの少なくとも一つの情報を記憶し、当該少なくとも一つの情報に応じて選択された映像が表示されてもよい。
【０１０２】
また、上記の実施形態では、ディスプレイ２３において発信側のサーバコンピュータ１０から受信した映像と他の映像（厳密には、カメラ映像）とが同時表示されるケースを例に挙げて説明した。ただし、発信側のサーバコンピュータ１０から受信した映像と同時表示されるものは、カメラ映像に限られず、他の種類の映像（例えば、コンピュータグラフィック映像やアニメーション映像）であってもよく、あるいは静止画であってもよい。
【０１０３】
（第四実施形態）
本実施形態の第四例（第四実施形態）について図１４を参照しながら説明する。第四実施形態に係る映像表示システムは、特に図示しないが、第一実施形態に係る映像表示システムＳ１と同様の構成となっており、第一実施形態に係る映像表示システムＳ１と同様の用途で用いられる。すなわち、第四実施形態に係る映像表示システムは、互いに離れた場所に設置されている通信ユニット１、２によって構成されている。なお、各通信ユニット１、２の構成機器については、第一実施形態に係る機器と同様であるため、説明を省略することとする。
【０１０４】
また、一方の通信ユニット１が有するサーバコンピュータ１０は、他方の通信ユニット２に向けて映像を配信する。他方の通信ユニット２が有するサーバコンピュータ２０は、配信されてくる映像を受信し、表示器であるディスプレイ２３に当該映像を表示させる。かかる意味で、一方の通信ユニット１に搭載されたサーバコンピュータ１０は、「映像配信装置」に相当し、他方の通信ユニット２に搭載されたサーバコンピュータ２０は、「映像受信装置」に相当すると言える。
【０１０５】
次に、第四実施形態に係る映像表示フローの流れを参照しつつ、映像表示システム各部の動作について説明する。なお、以下の説明では、便宜的に、映像配信装置に相当する方のサーバコンピュータ１０を「発信側のサーバコンピュータ１０」と呼び、映像受信装置に相当する方のサーバコンピュータ２０を「受信側のサーバコンピュータ２０」と呼ぶこととする。
【０１０６】
第四実施形態に係る映像表示フローは、図１４に図示の流れに従って進行する。図１４に示すように、第四実施形態に係る映像表示フローでは、先ず、発信側のサーバコンピュータ１０が第一カメラ１１及び第二カメラ１２の双方からカメラ映像を取得するところから始まる（Ｓ０５１）。なお、本ステップＳ０５１に際し、第一カメラ１１及び第二カメラ１２の双方は、それぞれの撮影範囲の映像を撮影し、撮影映像を示す信号（映像信号）を発信側のサーバコンピュータ１０に対して逐次出力している。このとき、双方のカメラは、それぞれの撮影範囲が部分的に重複するように配置された状態で映像を撮影している。
【０１０７】
カメラ映像の取得後、発信側のサーバコンピュータ１０は、前ステップＳ００４において取得した第一カメラ１１の撮影映像及び第二カメラ１２の撮影映像の両方を、受信側のサーバコンピュータ２０に向けて配信する（Ｓ０５２）。受信側のサーバコンピュータ２０は、両方のカメラ映像を、ネットワークＷを介して受信する（Ｓ０５３）。
【０１０８】
その後、受信側のサーバコンピュータ２０は、受信した両方のカメラ映像のうち、記憶している映像表示画面２３ｄのアスペクト比と対応した一方のカメラ映像を選択し、当該映像のみをディスプレイ２３に表示させる（Ｓ０５４）。具体的に説明すると、横長の映像表示画面２３ｄのアスペクト比を記憶している場合には、横長のカメラ映像、すなわち、第一カメラ１１の撮影映像のみをディスプレイ２３に表示させる。他方、縦長の映像表示画面２３ｄのアスペクト比を記憶している場合には、縦長のカメラ映像、すなわち、第二カメラ１２の撮影映像のみをディスプレイ２３に表示させる。
【０１０９】
そして、以上までに説明してきた一連のステップ、すなわち、発信側のサーバコンピュータ１０がカメラ映像を取得してから受信側のサーバコンピュータ２０がカメラ映像を表示するまでのステップ（Ｓ０５１〜Ｓ０５４）は、受信側のサーバコンピュータ２０が所定の終了操作を受け付けるまで繰り返される（Ｓ０５５）。そして、受信側のサーバコンピュータ２０が終了操作を受け付けた時点で映像表示フローが終了する。
【０１１０】
以上までに説明してきたように、第四実施形態では、これまでの実施形態と異なり、発信側のサーバコンピュータ１０が第一カメラ１１の撮影映像及び第二カメラ１２の撮影映像の両方を配信する。また、受信側のサーバコンピュータ２０は、両方のカメラ映像を受信した上で、当該両方のカメラ映像のうち、映像表示条件（具体的には、ディスプレイ２３の映像表示画面２３ｄのアスペクト比）に応じて一のカメラ映像を選択し、選択したカメラ映像のみをディスプレイ２３に表示させる。このような構成であれば、第一実施形態〜第三実施形態のように受信側のサーバコンピュータ２０から発信側のサーバコンピュータ１０に向けて画面サイズデータを送信する必要がなくなり、その分の処理負荷を軽減することが可能となる。
【０１１１】
（第五実施形態）
本実施形態の第五例（第五実施形態）について図１５を参照しながら説明する。第五実施形態に係る映像表示システムＳ５は、互いに離れた場所に居るユーザ同士がお互いの映像を確認するために用いられる双方向通信システムである。各ユーザが居る場所には、それぞれ、通信ユニット１が設置されている。この通信ユニット１は、第一実施形態に係る通信ユニット１と同様の構成であり、構成機器も共通している。すなわち、一方のユーザ（ユーザＭ）が居る場所に設置された通信ユニット１、及び、他方のユーザ（ユーザＮ）が居る場所に設置された通信ユニット１は、いずれも、図１５に示すようにサーバコンピュータ１０、第一カメラ１１、第二カメラ１２、マイク１３、ディスプレイ１４及びスピーカ１５を有する。
【０１１２】
そして、ユーザＭ側の通信ユニット１のサーバコンピュータ１０は、ユーザＭが居る場所を撮影したカメラ映像を、ユーザＮ側の通信ユニット１に向けて配信する。ユーザＮ側の通信ユニット１のサーバコンピュータ１０は、上記のカメラ映像を受信し、当該映像をディスプレイ１４に表示させる。このように、ユーザＭが居る場所を撮影したカメラ映像に着目すると、ユーザＭ側の通信ユニット１のサーバコンピュータ１０が「映像配信装置」に相当し、ユーザＮ側の通信ユニット１のサーバコンピュータ１０及びディスプレイ１４が「映像受信装置」及び「表示器」に相当する。
【０１１３】
反対に、ユーザＮ側の通信ユニット１のサーバコンピュータ１０は、ユーザＮが居る場所を撮影したカメラ映像を、ユーザＭ側の通信ユニット１に向けて配信する。ユーザＭ側の通信ユニット１のサーバコンピュータ１０は、上記のカメラ映像を受信し、当該映像をディスプレイ１４に表示させる。このように、ユーザＮが居る場所を撮影したカメラ映像に着目すると、ユーザＮ側の通信ユニット１のサーバコンピュータ１０が「映像配信装置」に相当し、ユーザＭ側の通信ユニット１のサーバコンピュータ１０及びディスプレイ１４が「映像受信装置」及び「表示器」に相当する。
【０１１４】
このように、第五実施形態では、各通信ユニット１のサーバコンピュータ１０が「映像配信装置」としても機能し、「映像受信装置」としても機能する。より具体的に説明すると、第五実施形態に係る映像表示フローは、図６に図示された第一実施形態に係る映像表示フローと同じ流れで進行するが、各通信ユニット１のサーバコンピュータ１０が、図６中、発信側のサーバコンピュータとしての動作を行うと共に、受信側のサーバコンピュータとしての動作も行う。
【０１１５】
分かり易く説明すると、ユーザＭが居る場所を撮影したカメラ映像を表示するために、ユーザＭ側の通信ユニット１のサーバコンピュータ１０が発信側のサーバコンピュータとしての動作（具体的には、ステップＳ００１及びＳ００３〜Ｓ００６）を行い、ユーザＮ側の通信ユニット１のサーバコンピュータ１０が受信側のサーバコンピュータとしての動作（具体的には、ステップＳ００２及びＳ００７〜Ｓ００９）を行う。これと同時に、ユーザＮが居る場所を撮影したカメラ映像を表示するために、ユーザＮ側の通信ユニット１のサーバコンピュータ１０が発信側のサーバコンピュータとしての動作（具体的には、ステップＳ００１及びＳ００３〜Ｓ００６）を行い、ユーザＭ側の通信ユニット１のサーバコンピュータ１０が受信側のサーバコンピュータとしての動作（具体的には、ステップＳ００２及びＳ００７〜Ｓ００９）を行う。
【０１１６】
以上のような構成により、第五実施形態では、ユーザ同士がお互いの映像をディスプレイ１４にて確認するにあたり、それぞれのディスプレイ１４に映像表示条件（具体的には、ディスプレイ１４の映像表示画面のアスペクト比）に適したカメラ映像が表示されるようになる。この結果、各ユーザは、相手の映像を良好な画質にて利用（視聴）することが可能となる。
【０１１７】
＜＜その他の実施形態＞＞
以上までに本発明の映像表示システム及び映像表示方法について一例を挙げて説明してきたが、上記の実施形態では、あくまでも本発明の一実施形態に過ぎず、他の例も考えられる。具体的に説明すると、上記の実施形態では、第一カメラ１１の撮影映像及び第二カメラ１２の撮影映像のうち、いずれか一方の映像を選択する際に、ディスプレイの映像表示画面のアスペクト比、ディスプレイにおける同時表示映像の有無や当該同時表示映像のタイプ、映像利用者の数に応じて選択することとした。本発明では、ディスプレイに映像を表示させる際の条件（映像表示条件）に応じて映像を選択すればよく、上記の内容に限定されるものではない。ここで、映像表示条件とは、映像の表示サイズ、表示態様及び表示方式のみならず、ディスプレイの仕様やディスプレイに映像を表示させる際の状況（例えば、ディスプレイの利用環境等）をも含む概念である。したがって、例えば、複数のディスプレイを並べて使用する場合、並べられたディスプレイの台数が映像表示条件に該当し、当該台数に応じてカメラ映像の選択を行ってもよい。
【符号の説明】
【０１１８】
１，１Ａ，１Ｂ，２  通信ユニット
１０  サーバコンピュータ（映像配信装置，映像受信装置）
１１  第一カメラ（第一撮影装置）
１２  第二カメラ（第二撮影装置）
１３  マイク
１４  ディスプレイ（表示器）
１４ｐ  ディスプレイ本体
１４ｑ  脚部
１４ｒ  筐体
１５  スピーカ
２０  サーバコンピュータ（映像受信装置）
２１  カメラ
２２  マイク
２３，２３ａ，２３ｂ  ディスプレイ（表示器）
２３ｄ  映像表示画面
２３ｅ  分割画面
２４  スピーカ
３０  ユーザ端末（映像受信装置）
３１  コントローラ
３２  ディスプレイ（表示器）
３２ｄ  映像表示画面
ｒ１  上側部分
ｒ２  中央部分
ｒ３  下側部分
Ｓ１，Ｓ２，Ｓ３，Ｓ５  映像表示システム
Ｗ  ネットワーク
【図１】
0006666774.tif 000002
【図２】
0006666774.tif 000003
【図３】
0006666774.tif 000004
【図４】
0006666774.tif 000005
【図５】
0006666774.tif 000006
【図６】
0006666774.tif 000007
【図７】
0006666774.tif 000008
【図８】
0006666774.tif 000009
【図９】
0006666774.tif 000010
【図１０】
0006666774.tif 000011
【図１１】
0006666774.tif 000012
【図１２】
0006666774.tif 000013
【図１３】
0006666774.tif 000014
【図１４】
0006666774.tif 000015
【図１５】
0006666774.tif 000016